(57)【要約】【課題】カップ形容器とシール蓋とのシール部にシール不良が発生することを防止することのできる容器入り食品の製造方法を提供する。【解決手段】即席麺類２等の食品を収容したカップ形容器３に調味材の封入された小袋５を投入した後、カップ形容器３の開口部をシート状のシール蓋６により密封シールして製造される容器入り食品の製造方法であって、カップ形容器３に小袋５を投入する前に、小袋５の四隅をカッター機構部８で斜辺状もしくは円弧状に切断する。【選択図】図１
2005271935.tif 000002
【特許請求の範囲】
【請求項１】
食品を収容したカップ形容器に調味材の封入された平面四辺形の小袋を投入した後、前記カップ形容器の開口部をシート状のシール蓋により密封シールして製造される容器入り食品の製造方法であって、前記カップ形容器に前記小袋を投入する前に、前記小袋の四隅を斜辺状もしくは円弧状に予め切断しておくことを特徴とする容器入り食品の製造方法。
【請求項２】
食品を収容したカップ形容器を移送するコンベヤと、このコンベヤにより所定位置に移送された前記カップ形容器に平面四辺形の小袋を投入する小袋投入装置と、この小袋投入装置の下流側に配置された蓋のシール装置とを備えてなる容器入り食品の製造装置であって、前記小袋投入装置は、表裏のフィルム間に所定量の前記調味材が１単位毎に所定間隔で列をなして収容され、各単位の間は表裏のフィルムが溶着などにより接着されることにより調味材の各単位が独立して連続してなる帯状体の導入部と、前記導入部の下流側で前記帯状体を調味材の１単位毎に切断して調味材封入の小袋にすると共に前記小袋の四隅を切り落とすカッター機構部とを有することを特徴とする容器入り食品の製造装置。
【請求項３】
前記カッター機構部は、前記帯状体の幅方向の一部を、前記小袋の四隅の切り落とし部分と共に残して切断するカッター刃を有し、これにより前記帯状体の切断残部には帯状体の連続方向に連続する連続部分と、これと一体の切り落とし部分とが含まれるように構成したことを特徴とする請求項３記載の容器入り食品の製造装置。
【請求項４】
前記カッター機構部により切断された帯状体の切断残部を巻き取る巻取り装置を前記小袋投入装置に設けたことを特徴とする請求項２又は３記載の容器入り食品の製造装置。
【請求項５】
容器入り食品の調味材を包装フィルムに充填包装した後、前記包装フィルムを平面四辺形の小袋状に切断して製造される調味材封入小袋であって、その四隅が斜辺状もしくは円弧状に切断されていることを特徴とする調味材封入小袋。
【発明の詳細な説明】
【技術分野】
【０００１】
本発明は、カップ麺等の容器入り食品を製造する方法、その製造装置及び調味材封入小袋に関し、特に、調味料、スープ、具材等の調味材が封入された小袋を有する容器入り食品の製造方法、その製造装置及び調味材封入小袋に関する。
【背景技術】
【０００２】
従来、この種の容器入り食品は、例えば即席麺類であれば特許文献１に開示されているように、油揚げ麺、ノンフライ麺等の即席麺類を収容したカップ形容器にスープ、具材等の調味材が封入された小袋を投入した後、カップ形容器の開口部を密封するシート状のシール蓋をカップ形容器の開口縁部にヒートシールして製造されている。
【特許文献１】特開平１１−１７８５３０号公報（図６）
【発明の開示】
【発明が解決しようとする課題】
【０００３】
しかしながら、従来では、食品が収容されたカップ形容器に小袋を投入したときに、図６に示すように、小袋５の角部５ａがカップ形容器３の開口縁部３ａに乗ってしまうことがある。このため、このような状態でシール蓋６をカップ形容器３の開口縁部３ａにヒートシールすると、カップ形容器３の開口縁部３ａとシール蓋６との間に小袋５の角部５ａが挟まれたままシール蓋６がヒートシールされるため、シール部にシール不良が発生し、シール不良箇所からカップ形容器内に空気等が入り込むおそれがあった。
本発明は、このような問題点に着目してなされたものであり、カップ形容器とシール蓋とのシール部にシール不良が発生することを防止することのできる容器入り食品の製造方法、その製造装置及び調味材封入小袋を提供することを目的とする。
【課題を解決するための手段】
【０００４】
上記の目的を達成するために、請求項１の発明は、食品を収容したカップ形容器に調味材の封入された平面四辺形の小袋を投入した後、前記カップ形容器の開口部をシート状のシール蓋により密封シールして製造される容器入り食品の製造方法であって、前記カップ形容器に前記小袋を投入する前に、前記小袋の四隅を斜辺状もしくは円弧状に予め切断しておくことを特徴とする。
【０００５】
請求項２の発明は、食品を収容したカップ形容器を移送するコンベヤと、このコンベヤにより所定位置に移送された前記カップ形容器に平面四辺形の小袋を投入する小袋投入装置と、この小袋投入装置の下流側に配置された蓋のシール装置とを備えてなる容器入り食品の製造装置であって、前記小袋投入装置は、表裏のフィルム間に所定量の前記調味材が１単位毎に所定間隔で列をなして収容され、各単位の間は表裏のフィルムが溶着などにより接着されることにより調味材の各単位が独立して連続してなる帯状体の導入部と、前記導入部の下流側で前記帯状体を調味材の１単位毎に切断して調味材封入の小袋にすると共に前記小袋の四隅を切り落とすカッター機構部とを有することを特徴とする。
【０００６】
請求項３の発明は、請求項２記載の容器入り食品の製造装置において、前記カッター機構部が、前記帯状体の幅方向の一部を、前記小袋の四隅の切り落とし部分と共に残して切断するカッター刃を有し、これにより前記帯状体の切断残部には帯状体の連続方向に連続する連続部分と、これと一体の切り落とし部分とが含まれるように構成したことを特徴とする。
請求項４の発明は、請求項２又は３記載の容器入り食品の製造装置において、前記カッター機構部により切断された帯状体の切断残部を巻き取る巻取り装置を前記小袋投入装置に設けたことを特徴とする。
請求項４の発明は、容器入り食品の調味材を包装フィルムに充填包装した後、前記包装フィルムを平面四辺形の小袋状に切断して製造される調味材封入小袋であって、その四隅が斜辺状もしくは円弧状に切断されていることを特徴とする。
【発明の効果】
【０００７】
本発明に係る容器入り食品の製造方法では、食品を収容したカップ形容器に小袋を投入する前に、小袋の四隅を斜辺状もしくは円弧状に予め切断しておくことで、小袋の四隅に角部が存在しなくなり、これにより、カップ形容器に小袋を投入したときに小袋の一部がカップ形容器の開口縁部に乗ってしまうことがないので、カップ形容器とシール蓋とのシール部にシール不良が発生することを防止することができる。
【０００８】
また、本発明に係る容器入り食品の製造装置では、小袋投入装置が、表裏のフィルム間に所定量の前記調味材が１単位毎に所定間隔で列をなして収容され、各単位の間は表裏のフィルムが溶着などにより接着されることにより調味材の各単位が独立して連続してなる帯状体の導入部と、前記導入部の下流側で前記帯状体を調味材の１単位毎に切断して調味材封入の小袋にすると共に前記小袋の四隅を切り落とすカッター機構部とを有することで、小袋の四隅に角部が存在しなくなり、これにより、前記方法の発明と同一の効果を得ることができる。
【発明を実施するための最良の形態】
【０００９】
以下、本発明の実施の形態を図面に基づいて説明する。
本発明の一実施形態に係る容器入り食品の製造装置の概略構成を図１に示す。尚、この実施の形態ではカップ形容器に収容される食品として即席麺の場合を示しているが、カップ形の包装用容器に収め、シール蓋を施して流通させる食品の全般に適用することができる。同図において、符号１は即席麺類２を収容したカップ形容器３を図中矢印方向に移送するコンベヤ、４はコンベヤ１により所定位置に移送されたカップ形容器３に小袋５を投入する小袋投入装置を示し、この小袋投入装置４には、帯状体１１の導入部１２と、帯状体１１が切断されてなる、スープ等の調味材が封入された小袋５を切断するカッター機構部８が設けられている。帯状体１１は表裏のフィルム間に所定量の調味材、つまり調味料、具、粉末又は液体スープなどの１単位がここでは１列に所定間隔で収容されてなり、調味材の各単位の間及び両側はヒートシールされている。これにより、帯状体１１には、調味材封入部５ｃとヒートシール部５ｄが形成されている。かかる帯状体１１は各調味材封入部５ｃの連続方向に縦長になって、図１では上から下に向けて小袋投入装置４の導入部１２に供給され、さらに対向するローラ組１３に案内されてカッター機構部８に導入される。
【００１０】
カッター機構部８はカッター刃８ａ，８ｂを有しており、ここで帯状体１１が切断されて調味材が封入された小袋５になる。この小袋５は、図２に示すように、カッター機構部８のカッター刃８ａ，８ｂにより略八角形に切断されるようになっている。カッター刃８ａ，８ｂは、図２に示すように、断面が略八角形をなすＣ字形をなし、これが帯状体１１のヒートシール部５ｄを、帯状体１１の側部で帯状体１１の長手方向に連続する部分と前後の調味材封入部５ｃの間の部分とに切断するようになっている。これにより切り落とされた小袋５は平面四辺形の四隅が切り落とされて略八角形となっている。また、カッター刃８ａ，８ｂは帯状体１１の導入とタイミングを合せて一方のカッター刃８ａが他方の固定されたカッター刃８ｂに向けて移動されて、両カッター刃８ａ，８ｂによってヒートシール部５ｄを切断するが、ここでは帯状体１１のうち小袋５となった部分以外の切断残部５ｂは全体が繋がった状態になるように切断される。このため、帯状体１１をなしていた一部が小片となって散ることがない。
【００１１】
切断残部５ｂは、帯状体１１の連続方向（長手方向）に連続する連続部分５ｂ−１と、前後に小袋５として切り出された部分の間の部分５ｂ−２と、小袋５の四隅の切り落とし部分５ｂ−３とを含む。
また、小袋投入装置４には巻取り装置９が設けられ、カッター機構部８で発生した帯状体１１の切断残部５ｂは巻取り装置９に巻き取られるようになっている。なお、小袋投入装置４の下流側には、図示しない蓋供給装置があり、その下流側にはカップ形容器３の開口部を密封するシート状のシール蓋６をカップ形容器３の開口縁部にヒートシールするヒートシール装置７が設けられている。また、小袋５は、前記小袋投入装置４の上流側にある不図示の充填包装機により調味材を包装フィルムに充填包装して作製されている。
【００１２】
このような構成において、即席麺類２を収容したカップ形容器３がコンベヤ１により所定位置に移送されると、カッター機構部８が作動し、カッター機構部８により帯状体１１が小袋状に切断される。このとき、カッター機構部８で切断された帯状体１１は調味材封入小袋５となり、シュート１４に案内されて即席麺類２を収容したカップ形容器３に投入される。また、カッター機構部８で発生した帯状体１１の切断残部５ｂは巻取り装置９に巻き取られる。小袋５には帯状体１１における調味材封入部５ｃがそのまま残り、その周囲に帯状体１１におけるヒートシール部５ｄの一部により形成された縁部５ｅが形成される。なお、ここでは縁部５ｅは四周に形成されるが、１枚のフィルムを縦に二つ折りして帯状体１１が形成される場合であって、折り目部分をヒートシールしないときは、図４に示されるように、縁部５ｅは一側には形成されず、三方の縁にのみ形成される。
【００１３】
図３は、カッター機構部８で切断された小袋５をカップ形容器３に投入したときの状態を示す図である。同図から明らかなように、カップ形容器３に投入される前の小袋５をカッター機構部８で略八角の形状に切断することにより、小袋５の四隅が斜辺状にカットされる。これにより、小袋５の四隅に角部が存在しなくなり、カップ形容器３に小袋５を投入したときに小袋５の一部がカップ形容器３の開口縁部３ａに乗ってしまうことが殆どないので、カップ形容器３とシール蓋６とのヒートシール部にシール不良が発生することを可及的に防止することができる。
【００１４】
また、上述した実施形態ではカッター機構部８で切断された帯状体１１の切断残部５ｂを巻き取る巻取り装置９を小袋投入装置４に設けたことで、帯状体１１の切断残部５ｂがカップ形容器３内に異物として混入することも防止することができる。
なお、上述した実施形態ではカップ形容器３に投入される小袋５をカッター機構部８で略八角の形状に切断するようにしたが、カップ形容器３に投入される小袋５を八角形に類似した形状に切断するようにしてもよい。また、上述した実施形態では小袋５の四隅を斜辺状に切断してから小袋５をカップ形容器３に投入するようにしたが、図５に示すように、小袋５の四隅を円弧状に切断してから小袋５をカップ形容器３に投入するようにしても同様の効果を得ることができる。
【図面の簡単な説明】
【００１５】
【図１】本発明の一実施形態に係る容器入り食品用製造装置の概略構成を示す図である。
【図２】図１のII−II断面図である。
【図３】図１のカッター機構部で切断された小袋をカップ形容器に投入したときの状態を示す図である。
【図４】折り目部分がヒートシールされていない帯状体と該帯状体を略八角形の小袋状に切断するカッター刃を示す図である。
【図５】本発明の他の実施形態を説明するための図である。
【図６】従来方法で容器入り即席麺類を製造する場合に生じる問題点を説明するための図である。
【符号の説明】
【００１６】
１  コンベヤ
２  即席麺類
３  カップ形容器
３ａ  開口縁部
４  小袋投入装置
５  小袋
５ａ  角部
５ｂ  切断残部
５ｃ  調味材封入部
５ｄ  ヒートシール部
６  シール蓋
７  ヒートシール装置
８  カッター機構部
８ａ，８ｂ  カッター刃
９  巻取り装置
１１  帯状体
１２  導入部
１４  シュート
【図１】
2005271935.tif 000003
【図２】
2005271935.tif 000004
【図３】
2005271935.tif 000005
【図４】
2005271935.tif 000006
【図５】
2005271935.tif 000007
【図６】
2005271935.tif 000008